(57)【要約】  ドラム式洗濯機の加熱管支持具（４）およびドラム式洗濯機において、前記加熱管支持具（４）はワイヤを折り曲げて形成され、洗濯機の外ドラムと接続される取付部（５）と、加熱管（３）と接続されるクランプ部（６）と、取付部（５）およびクランプ部（６）を接続する接続部（７）とを含む。このうちクランプ部（６）、接続部（７）および取付部（５）は上から下に設置され、側面は「Ｚ」状を呈する。このうち、前記取付部（５）は、一側に開口が設けられた第１枠体（８）であり、相対する２つの第１枠（９）、第２枠（１０）と、第１枠（９）、第２枠（１０）を接続する第３枠（１１）とを含み、第３枠（１１）は第１枠体（８）の開口に相対する。前記クランプ部（６）は、略平行に設置される２つのＵ状クランプ台を少なくとも含む。クランプ台が位置する平面は、それぞれ取付部（５）の枠体が位置する面に略垂直であり、クランプ台の開口は第３枠（１１）側に向く。前記取付部（７）は、傾斜して設置される第１軸（１５）および第２軸（１６）を少なくとも含む。前記第１軸（１５）は第１枠（９）および第１クランプ台（１３）と接続され、第２軸（１６）は第２枠（１０）および第２クランプ台（１４）と接続される。【選択図】図４
2019503800.tif 000002
【特許請求の範囲】
【請求項１】
ドラム式洗濯機の加熱管支持具であって、前記加熱管支持具はワイヤを折り曲げて形成され、洗濯機の外ドラムと接続される取付部と、加熱管と接続されるクランプ部と、取付部およびクランプ部を接続する接続部とを含み、このうちクランプ部、接続部、および取付部は上から下に設置され、側面は「Ｚ」状を呈することを特徴とする、加熱管支持具。
【請求項２】
前記取付部は、一側に開口が設けられた第１枠体であり、相対する２つの第１枠、第２枠と、第１枠、第２枠を接続する第３枠とを含み、第３枠は第１枠体の開口に相対する；
前記クランプ部は、略平行に設置される２つのＵ状クランプ台、すなわち第１クランプ台、第２クランプ台２を少なくとも含み、第１クランプ台、第２クランプ台が位置する平面は、それぞれ取付部の枠体が位置する面に略垂直であり、第１クランプ台、第２クランプ台の開口は第３枠側に向く；
前記接続部は、傾斜して設置される第１軸および第２軸を少なくとも含み、前記第１軸は第１枠および第１クランプ台と接続され、第２軸は第２枠および第２クランプ台と接続されることを特徴とする、請求項１に記載のドラム式洗濯機の加熱管支持具。
【請求項３】
前記第３枠の中部が第１枠体の開口側に向かって折れ曲がり、一側に開口が設けられた第２枠体を形成し、前記第２枠体は相対する２つの第４枠、第５枠と、第４枠、第５枠を接続する第６枠とを含み、前記第６枠は第２枠体の開口に相対し、前記第６枠は第１枠体の開口側に位置し、前記第２枠体の開口は第１枠体の第３枠側に位置する；
好ましくは、前記第１枠、第１軸および第１クランプ台は同一平面内にあり、前記第２枠、第２軸および第２クランプ台は同一平面内にあることを特徴とする、請求項２に記載のドラム式洗濯機の加熱管支持具。
【請求項４】
第１クランプ台は相対する第１部分、第２部分と、第１部分、第２部分を接続する第３部分とを含み、前記第１部分、第２部分は直線部分、前記第３部分は円弧部分であり、第３部分の両端は滑らかに移行して第１部分、第２部分と接続される；
第２クランプ台は相対する第４部分、第５部分と、第４部分、第５部分を接続する第６部分とを含み、前記第４部分、第５部分は直線部分、前記第６部分は円弧部分であり、第６部分の両端は滑らかに移行して第４部分、第５部分と接続されることを特徴とする、請求項１〜３のいずれか１項に記載のドラム式洗濯機の加熱管支持具。
【請求項５】
前記第１部分は第２部分より取付部に近く、第１部分の一端は第１軸と接続され、第２部分は第３部分と接続する一端からもう一端まで、第１部分から離れた方向に傾斜して設置される；
前記第４部分は第５部分より取付部に近く、第４部分の一端は第２軸と接続され、第５部分は第６部分と接続する一端からもう一端まで、第４部分から離れた方向に傾斜して設置されることを特徴とする、請求項１〜４のいずれか１項に記載のドラム式洗濯機の加熱管支持具。
【請求項６】
前記第１部分、第４部分は、前記第１枠体が位置する平面に平行に設置され、前記第１部分と第１枠体が位置する平面との間の距離は、ドラム内の洗浄顆粒の最大直径より大きく、前記第４部分と第１枠体が位置する平面との間の距離は、ドラム内の洗浄顆粒の最大直径より大きいことを特徴とする、請求項１〜５のいずれか１項に記載のドラム式洗濯機の加熱管支持具。
【請求項７】
前記第１枠と第１軸との間に第１円弧部分が設けられて滑らかに移行し、前記第２枠と前記第２軸との間に第２円弧部分が設けられて滑らかに移行し、前記第１軸と第１部分との間に第３円弧部分が設けられて滑らかに移行し、前記第２軸と第４部分との間に第４円弧部分が設けられて滑らかに移行することを特徴とする、請求項１〜６のいずれか１項に記載のドラム式洗濯機の加熱管支持具。
【請求項８】
前記クランプ部の第３部分、第６部分は、第１枠および第１軸の接続端、第２枠および第２軸の接続端に対して、第３枠の方向に傾斜することを特徴とする、請求項１〜７のいずれか１項に記載のドラム式洗濯機の加熱管支持具。
【請求項９】
前記ドラム式洗濯機の外ドラム底部に、外ドラムの軸方向に沿ったくぼみが設けられ、前記くぼみ内に加熱管が設置され、加熱管の一端はくぼみの一端と固定され、加熱管のもう一端は前記加熱管支持具により支持されることを特徴とする、請求項１〜８のいずれか１項に記載の加熱管支持具を有するドラム式洗濯機。
【請求項１０】
前記くぼみ底部の端部の近くに、軸方向に沿って、入口を有する収容溝が設けられ、前記入口は収容溝の軸方向に沿った、くぼみの端部側の一端に位置し、前記加熱管支持具の取付部を入口から収容溝内に挿入して、加熱管支持具の取付を実現し、前記クランプ部は加熱管の端部を取り囲んで、加熱管の支持を実現することを特徴とする、請求項９に記載のドラム式洗濯機。
【発明の詳細な説明】
【技術分野】
【０００１】
本発明は洗濯機の分野に関し、特にドラム式洗濯機の加熱管支持具およびドラム式洗濯機である。
【背景技術】
【０００２】
大多数のドラム式洗濯機の加熱管は内外槽間に取り付けられ、加熱管は加熱管支持具により外槽に固定される。加熱管支持具は加熱管を支持する必要があり、洗濯時に加熱する目的を果たすため、加熱管支持具の強度に対する要求は高い。加熱管支持具の強度が充分でない場合、加熱管の振動および摩耗が大きくなり、さらには加熱管の漏電のリスクが生じるだけでなく、ドラム式洗濯機の洗濯、脱水時に騒音が生じる。
【０００３】
既存技術で使用する水加熱管支持具は、いずれもステンレス板金設計が採用される。水加熱管支持具は、ネジで洗濯機の外槽に固定され、加熱管を支持する作用を示す。ネジ接続を採用すると、外ドラムの強度に影響を及ぼし、ステンレス板金設計の水加熱管の使用材料が多くなり、価格は比較的高い。他に、ステンレス板金設計の水加熱管は金型の打抜き工程が使用され、パーツ周辺の滑らかでないバリは、ドラム式洗濯機の生産、組立に不利な影響を及ぼし、衣類の糸屑が引っ掛かる可能性もある。長期に渡って蓄積すると、水加熱管の加熱時に、発火する危険が存在する。
【０００４】
このことを考慮して、本発明を示す。
【発明の概要】
【発明が解決しようとする課題】
【０００５】
本発明の目的は既存技術の不足を克服することであり、ドラム式洗濯機の加熱管支持具およびドラム式洗濯機を提供する。
【課題を解決するための手段】
【０００６】
該目的を実現するため、本発明は以下の技術案を採用する。ドラム式洗濯機の加熱管支持具であって、前記加熱管支持具はワイヤを折り曲げて形成され、洗濯機の外ドラムに取り付ける取付部と、加熱管を支持するクランプ部と、取付部およびクランプ部を接続する接続部とを含む。このうちクランプ部、接続部および取付部は上から下に設置され、側面は「Ｚ」状を呈する。
【０００７】
前記取付部は、一側に開口が設けられた第１枠体であり、相対する２つの第１枠、第２枠と、第１枠、第２枠を接続する第３枠とを含み、第３枠は第１枠体の開口に相対する。
前記クランプ部は、略平行に設置される２つのＵ状クランプ台、すなわち第１クランプ台、第２クランプ台を少なくとも含む。第１クランプ台、第２クランプ台が位置する平面は、それぞれ取付部の枠体が位置する面に略垂直であり、第１クランプ台、第２クランプ台の開口は第３枠側に向く。
前記接続部は、傾斜して設置される第１軸および第２軸を少なくとも含む。前記第１軸は第１枠および第１クランプ台と接続され、第２軸は第２枠および第２クランプ台と接続される。
【０００８】
前記第３枠の中部が第１枠体の開口側に折れ曲がり、一側に開口が設けられた第２枠体を形成する。前記第２枠体は相対する２つの第４枠、第５枠と、第４枠、第５枠を接続する第６枠とを含み、前記第６枠は第２枠体の開口に相対する。前記第６枠は第１枠体の開口側に位置し、前記第２枠体の開口は第１枠体の第３枠側に位置する。
【０００９】
前記第１枠、第１軸および第１クランプ台は同一平面内にあり、前記第２枠、第２軸および第２クランプ台は同一平面内にある。
【００１０】
第１クランプ台は相対する第１部分、第２部分と、第１部分、第２部分を接続する第３部分とを含む。前記第１部分、第２部分は直線部分、前記第３部分は円弧部分であり、第３部分の両端は滑らかに移行して第１部分、第２部分と接続される。
第２クランプ台は相対する第４部分、第５部分と、第４部分、第５部分を接続する第６部分とを含む。前記第４部分、第５部分は直線部分、前記第６部分は円弧部分であり、第６部分の両端は滑らかに移行して第４部分、第５部分と接続される。
【００１１】
前記第１部分は第２部分より取付部に近く、第１部分の一端は第１軸と接続される。第２部分は第３部分と接続する一端からもう一端まで、第１部分から離れた方向に傾斜して設置される。
前記第４部分は第５部分より取付部に近く、第４部分の一端は第２軸と接続される。第５部分は第６部分と接続する一端からもう一端まで、第４部分から離れた方向に傾斜して設置される。
【００１２】
前記第１部分、第４部分は、前記第１枠体が位置する平面に平行に設置される。前記第１部分と第１枠体が位置する平面との間の距離は、ドラム内の洗浄顆粒の最大直径より大きく、好ましくはドラム内における洗浄顆粒の最大直径の１〜２倍、好ましくは１．４〜１．８倍である。前記第４部分と第１枠体が位置する平面との間の距離は、ドラム内の洗浄顆粒の最大直径より大きく、好ましくはドラム内における洗浄顆粒の最大直径の１〜２倍、好ましくは１．４〜１．８倍である。
【００１３】
前記第１枠と第１軸との間に第１円弧部分が設けられて滑らかに移行し、前記第２枠と前記第２軸との間に第２円弧部分が設けられて滑らかに移行する。前記第１軸と第１部分との間に第３円弧部分が設けられて滑らかに移行し、前記第２軸と第４部分との間に第４円弧部分が設けられて滑らかに移行する。
【００１４】
前記クランプ部の第３部分、第６部分は、第１枠および第１軸の接続端、第２枠および第２軸の接続端に対して、第３枠の方向に傾斜する。
【００１５】
上記加熱管支持具を有するドラム式洗濯機において、前記ドラム式洗濯機の外ドラム底部に、外ドラムの軸方向に沿ったくぼみが設けられる。前記くぼみ内に加熱管が設置され、加熱管の一端はくぼみの一端と固定され、加熱管のもう一端は前記加熱管支持具により支持される。
【００１６】
前記くぼみ底部の端部の近くに、軸方向に沿って、入口を有する収容溝が設けられ、前記入口は収容溝の軸方向に沿った、くぼみの端部側の一端に位置する。前記加熱管支持具の取付部を入口から収容溝内に挿入して、加熱管支持具の取付を実現し、前記クランプ部は加熱管の端部を取り囲んで、加熱管の支持を実現する。
【発明の効果】
【００１７】
本発明の前記技術案を採用すると、以下の有益な効果がもたらされる。
本発明の前記加熱管支持具は、一定の弾性変形を有することができ、加熱管の取付で生じる垂直方向の取付誤差または加熱管支持具の製造誤差により、加熱管支持具および加熱管を対応して係合することができない問題を克服することができる。同時に、洗濯機に振動が生じたとき、剛性の加熱管支持具である場合、加熱管に破壊作用が生じるのを防止することもできる。本発明において、加熱管支持具を収容溝に直接挿入して、加熱管支持具および外ドラムの取付を実現する。ネジ固定を必要とせず、外ドラムにネジ孔を開け、外ドラムの強度に影響を及ぼすのを防止し、さらに取付は簡単で、ネジを締める時間を節約する。
【００１８】
以下、図を組み合わせて、本発明を実施するための形態について、さらに詳細に説明する。
【図面の簡単な説明】
【００１９】
【図１】図１は、本発明のドラム式洗濯機の構造図である。
【図２】図２は、本発明の加熱管支持具の取付構造図である。
【図３】図３は、図２のＡ部分の拡大図である。
【図４】図４は、本発明の前記加熱管支持具の構造図である。
【図５】図５は、本発明の別の実施例における前記加熱管支持具の構造図である。
【図６】図６は、本発明の前記加熱管支持具の側面図である。
【図７】図７は、本発明の前記加熱管支持具の上面図である。
【発明を実施するための形態】
【００２０】
図４〜７に示すように、本発明の前記ドラム式洗濯機の加熱管支持具４において、前記加熱管支持具４はワイヤを折り曲げて形成され、洗濯機の外ドラム１に取り付ける取付部５と、加熱管３を支持するクランプ部６と、取付部５、クランプ部６を接続する接続部７とを含む。前記クランプ部６は取付部５の上方に位置し、クランプ部６および取付部５の間は一定の距離を有する。前記接続部７は、取付部５の一側から取付部５と接続した後、接続部７のもう一側に対応するクランプ部６まで延伸してクランプ部６と接続される。前記クランプ部６、接続部７および取付部５は「Ｚ」に近い形に形成され、これにより加熱管支持具４は一定の弾性変形を有することができる。加熱管３の取付で生じる垂直方向の取付誤差または加熱管支持具４の製造誤差により、加熱管支持具４および加熱管３を対応して係合することができない問題を克服することができる。同時に、洗濯機に振動が生じたとき、剛性の加熱管支持具４である場合、加熱管３に破壊作用が生じるのを防止することもできる。
【００２１】
本発明の前記加熱管支持具４は、特に外ドラム１内に洗浄顆粒３３を設けた自動洗浄洗濯機に適用される。クランプ部６および取付部５の間に一定の距離を有し、該距離は洗浄顆粒３３の最大直径より大きい。好ましくは、該距離は洗浄顆粒３３の最大直径の１〜３倍より大きく、洗浄顆粒３３がその間で自由に活動することができることを保証する。
【００２２】
前記取付部５および前記クランプ部６は、いずれも開口を有するＵ状枠体であり、前記クランプ部は少なくとも２つのＵ状枠体が平行に設置されてブラケットを形成し、加熱管の上下の定位を保証し、加熱管支持具４および加熱管３の間の取付も便利にする。好ましくは、前記取付部５のＵ状枠体は水平に設置され、前記クランプ部６のＵ状枠体は垂直に設置され、さらに取付部５のＵ状枠体の開口は、クランプ部６のＵ状枠体の開口の方角と反対である。前記接続部７は軸状構造であり、それぞれ取付部５のＵ状枠体の開口からクランプ部のＵ状枠体の開口まで延伸して接続される。
【００２３】
具体的に、前記取付部５は、一側に開口が設けられた第１枠体８であり、相対する２つの第１枠９、第２枠１０と、第１枠９、第２枠１０を接続する第３枠１１とを含み、第３枠１１は第１枠体８の開口に相対する。
前記クランプ部６は、略平行に設置され、開口が同じ方向に向いた２つのＵ状クランプ台、すなわち第１クランプ台１３、第２クランプ台１４を少なくとも含む。第１クランプ台１３、第２クランプ台１４が位置する平面は、それぞれ取付部５の枠体が位置する面に略垂直であり、第１クランプ台１３、第２クランプ台１４の開口は第３枠１１側に向く。すなわち取付部５の開口はクランプ部６の開口の方角と反対であり、接続部７の接続が「Ｚ」状を形成するのに便利である。
【００２４】
前記接続部７は、傾斜して設置される第１軸１５および第２軸１６を少なくとも含む。前記第１軸１５は第１枠９および第１クランプ台１３と接続され、第２軸１６は第２枠１０および第２クランプ台１４と接続される。
【００２５】
第３枠１１の中部が第１枠体８の開口側に折れ曲がり、一側に開口が設けられた第２枠体１７を形成する。前記第２枠体１７は相対する２つの第４枠１８、第５枠１９と、第４枠１８、第５枠１９を接続する第６枠２０とを含み、前記第６枠２０は第２枠体１７の開口に相対する。前記第６枠２０は第１枠体８の開口側に位置し、前記第２枠体１７の開口は第１枠体８の第３枠１１側に位置する。上記設置は、取付部５および外ドラム１の接触面積を増大させることができ、支持強度を増大させ、取付部５が外ドラム１の取付溝内から脱落するのを防止する。
【００２６】
前記第１枠９、第１軸１５および第１クランプ台１３は同一平面内にあり、前記第２枠１０、第２軸１６および第２クランプ台１４は同一平面内にあり、加熱管支持具４の加工を便利にすることができる。
【００２７】
第１クランプ台１３は相対する第１部分２２、第２部分２３と、第１部分２２、第２部分２３を接続する第３部分２４とを含む。前記第１部分２２、第２部分２３は直線部分、前記第３部分２４は円弧部分であり、第３部分２４の両端は滑らかに移行して第１部分２２、第２部分２３と接続される。第２クランプ台１４は相対する第４部分２５、第５部分２６と、第４部分２５、第５部分２６を接続する第６部分２７とを含む。前記第４部分２５、第５部分２６は直線部分、前記第６部分２７は円弧部分であり、第６部分２７の両端は滑らかに移行して第４部分２５、第５部分２６と接続される。各部分の間は滑らかに移行し、洗浄顆粒が洗浄することができない死角が生じるのを防止し、洗濯衣類が損傷するのも防止する。
【００２８】
第１部分２２は第２部分２３より取付部に近く、第１部分２２の一端は第１軸１５と接続される。第２部分２３は第３部分２４と接続する一端からもう一端まで、第１部分から離れた方向に傾斜して設置される。前記第４部分２５は第５部分２６より取付部５に近く、第４部分２５の一端は第２軸１６と接続される。第５部分２６は第６部分２７と接続する一端からもう一端まで、第４部分２５から離れた方向に傾斜して設置される。加熱管３と係合して取り付けるのに便利であり、様々な型番、様々な直径の加熱管を支持することができる。
【００２９】
前記第１部分２２、第４部分２５は、前記第１枠体８が位置する平面に平行に設置される。前記第１部分２２と第１枠体８が位置する平面との間の距離は、ドラム内の洗浄顆粒の最大直径より大きく、好ましくはドラム内における洗浄顆粒の最大直径の１〜２倍、好ましくは１．４〜１．８倍である。前記第４部分２５と第１枠体８が位置する平面との間の距離は、ドラム内の洗浄顆粒の最大直径より大きく、好ましくはドラム内における洗浄顆粒の最大直径の１〜２倍、好ましくは１．４〜１．８倍である。洗浄顆粒３３がその間で自由に活動することができることを保証する。
【００３０】
第１枠９と第１軸１５との間に第１円弧部分２８が設けられて滑らかに移行し、前記第２枠１０と前記第２軸１６との間に第２円弧部分２９が設けられて滑らかに移行する。前記第１軸１５と第１部分２２との間に第３円弧部分３０が設けられて滑らかに移行し、前記第２軸１６と第４部分２５との間に第４円弧部分３１が設けられて滑らかに移行する。各部分の間は滑らかに移行し、洗浄顆粒が洗浄することができない死角が生じるのを防止し、洗濯衣類が損傷するのも防止する。
【００３１】
前記クランプ部６の第３部分２４、第６部分２７は、第１枠９および第１軸１５の接続端、第２枠１０および第２軸１６の接続端に対して、第３枠１０の方向に傾斜する。加熱管の取付に便利であり、加熱管支持具の弾性および強度を効果的に保証する。
【００３２】
図１〜３に示すように、本発明の前記ドラム式洗濯機において、前記ドラム式洗濯機の外ドラム１底部に、外ドラム１の軸方向に沿ったくぼみ２が設けられる。前記くぼみ２内に加熱管３が設置され、加熱管３の一端はくぼみ２の一端と固定され、加熱管３のもう一端は前記加熱管支持具４により支持される。好ましくは、加熱管３の後端は外ドラム１底の後部に固定され、加熱管支持具４は外ドラム１底の前部に取り付けられ、加熱管３の前端が宙に浮くのを防止し、加熱管支持具４が支持する。特に、外ドラム１内に洗浄顆粒３３を設けるとき、洗浄顆粒３３が加熱管支持具４に接触すると、点と点の接触であり、線と面の接触ではない。水流の作用下で、粒子が接触した加熱管支持具部分から流されることができることを保証することができる。取付時、外ドラム底の後部から加熱管３を取り付け、外ドラム１底の前部から加熱管支持具４を取り付ける。
【００３３】
前記くぼみ２底部の端部の近くに、軸方向に沿って、入口を有する収容溝３２が設けられ、前記入口は収容溝の軸方向に沿った、くぼみ２の端部側の一端に位置する。前記加熱管支持具４の取付部５を入口から収容溝３２内に挿入して、加熱管支持具４の取付を実現し、前記クランプ部６は加熱管の端部を取り囲んで、加熱管３の支持を実現する。本発明において、加熱管支持具４を収容溝３２に直接挿入して、加熱管支持具４および外ドラム１の取付を実現する。ネジ固定を必要とせず、外ドラムにネジ孔を開け、外ドラムの強度に影響を及ぼすのを防止し、さらに取付は簡単で、ネジを締める時間を節約する。
【００３４】
以上の記載は、本発明の好ましい実施方式に過ぎない。当業者は、本発明を逸脱しない前提で、数種の変形および改良を行うこともできるが、これも本発明の保護範囲と見なすべきであると指摘しなければならない。
【符号の説明】
【００３５】
１  外ドラム
２  くぼみ
３  加熱管
４  加熱管支持具
５  取付部
６  クランプ部
７  接続部
８  第１枠体
９  第１枠
１０  第２枠
１１  第３枠
１３  第１クランプ台
１４  第２クランプ台
１５  第１軸
１６  第２軸
１７  第２枠体
１８  第４枠
１９  第５枠
２０  第６枠
２２  第１部分
２３  第２部分
２４  第３部分
２５  第４部分
２６  第５部分
２７  第６部分
２８  第１円弧部分
２９  第２円弧部分
３０  第３円弧部分
３１  第４円弧部分
３２  収容溝
３３  洗浄顆粒
【図１】
2019503800.tif 000003
【図２】
2019503800.tif 000004
【図３】
2019503800.tif 000005
【図４】
2019503800.tif 000006
【図５】
2019503800.tif 000007
【図６】
2019503800.tif 000008
【図７】
2019503800.tif 000009
【国際調査報告】
2019503800.tif 000010
2019503800.tif 000011
2019503800.tif 000012
2019503800.tif 000013
2019503800.tif 000014
2019503800.tif 000015